(57)【要約】      （修正有）【課題】つかみ方の違いや手の大きさの違いとは無関係に外ケースを常に確実につかむことができ、したがって、機器に対して着脱する際の不用意な落下を確実に防止することができるハードディスクカートリッジを提供する。【解決手段】ディスクドライブ本体３と、ディスクドライブ本体３を収容する扁平角箱状の外ケース２とを備えるハードディスクカートリッジ１において、外ケース２の後端寄りに滑り止め用の溝９を設ける。溝９は、外ケース２の上下壁１０等および左右側壁１２・１２にわたって周回状に凹み形成する。溝９には滑り止め部材１３を埋め込み装着する。滑り止め部材１３は、外ケース２の表面より大きな摩擦力を発揮するゴム弾性を備えたエラストマーを素材にして無端状に形成する。【選択図】図２
2010003362.tif 000002
【特許請求の範囲】
【請求項１】
ディスクドライブ本体と、該ディスクドライブ本体を収容する扁平角箱状の外ケースとを備えるハードディスクカートリッジであって、
前記外ケースの前面に、外部接続用のコネクタが配置されており、
前記外ケースの後端寄りに、滑り止め用の溝が、該外ケースの上下壁および左右側壁にわたって周回状に凹み形成されていることを特徴とするハードディスクカートリッジ。
【請求項２】
前記溝に、滑り止め部材が埋め込み装着されており、
前記滑り止め部材が、前記外ケースの表面より大きな摩擦力を発揮するゴム弾性を備えたエラストマーを素材にして無端状に形成してある請求項１記載のハードディスクカートリッジ。
【請求項３】
前記滑り止め部材の厚み寸法が、前記溝の凹み深さ寸法よりも僅かに大きく設定されている請求項２記載のハードディスクカートリッジ。
【発明の詳細な説明】
【技術分野】
【０００１】
本発明は、ＡＶ機器（オーディオ−ビデオ機器）やコンピュータなどの機器に着脱自在に装着されるリムーバブル・ハードディスクカートリッジに関する。
【背景技術】
【０００２】
ハードディスクカートリッジは、大容量にもかかわらず小型軽量で携帯性に優れるが、その内部のディスクドライブ本体には、精密部品である磁気ヘッドや駆動機構などが組み込まれている。そのため、落下衝撃を受けると比較的簡単に動作不良に陥り易く、取り扱いには細心の注意が必要である。そこで、特許文献１のハードディスクカートリッジにおいては、外ケースの上面に滑り止めを設けて、機器に着脱する際などに、指を滑らせてカートリッジが誤って落下されることを防いでいる。滑り止めは、溝、突起、ゴム材料系の塗装膜などで形成してある。
【０００３】
特許文献２のテープカートリッジにおいては、カートリッジ本体の左右側壁にゴム状弾性体で形成された滑り止め手段を設けて、テープカートリッジをテープドライブに装填し、あるいは取り出す際の滑り落ちを防止している。さらに、チェンジャ装置の一対のアームによる滑り落ちの防止を図っている。滑り止め手段は矩形板状に形成してあり、取付凹部に嵌め込まれて接着剤で固定してある。
【０００４】
【特許文献１】特開２０００−１３２９６０号公報（段落番号０００６、図１）
【特許文献２】特開平８−３２９６４２号公報（段落番号００３９〜００４０、図５）
【発明の開示】
【発明が解決しようとする課題】
【０００５】
特許文献１におけるハードディスクカートリッジにおいては、外ケースをその厚み方向につかむ場合には、外ケースが手から滑り落ちるのをよく防止できる。しかし、滑り止めが外ケースの上面中央部に形成してあるため、ハードディスクカートリッジをＡＶ機器などに装填した状態では、滑り止めの殆どの部分が装填口の内部に入り込み、滑り止めをつかんでハードディスクカートリッジを取り出すことができない。
【０００６】
特許文献２のテープカートリッジでは、カートリッジ本体の左右側壁に滑り止め手段を設けるので、これをつかんでテープカートリッジの着脱を確実に行える。しかし、テープカートリッジがカートリッジ本体の長辺部分を装填始端とするのに対し、ハードディスクカートリッジは、外ケースの短辺部分を装填始端とするので、着脱時により大きな重量モーメントが作用する。しかも、外形寸法が同じである場合のハードディスクカートリッジの重量は、テープカートリッジの重量に比べて格段に大きい。そのため、先の滑り止め手段をハードディスクカートリッジに適用したとしても、外ケースを確りと保持するのが難しく、誤ってハードディスクカートリッジが滑り落ちるおそれがある。
【０００７】
何よりも、特許文献１および２における滑り止めは、外ケースの一面または二面にのみ設けられる点に難がある。つまり、外ケースのどの面を保持するかは人によって様々であり、指を広げて左右側面の滑り止め手段を保持する者もいれば、外ケースの上下面を挟む状態でしか保持できない者もいる。後者にあっては、特許文献２のように左右側面に滑り止め手段が設けてある場合に、これをつかむことは困難である。
【０００８】
本発明の目的は、つかみ方の違いや手の大きさの違いとは無関係に外ケースを常に確実につかむことができ、したがって、機器に対して着脱する際の不用意な落下を確実に防止することができるハードディスクカートリッジを提供することにある。
【課題を解決するための手段】
【０００９】
本発明に係るハードディスクカートリッジは、図２に示すように、ディスクドライブ本体３と、ディスクドライブ本体３を収容する扁平角箱状の外ケース２とを備えており、外ケース２の前面に、外部接続用のコネクタ４が配置されている。そして、外ケース２の後端寄りに、滑り止め用の溝９が、外ケース２の上下壁１０・１１および左右側壁１２・１２にわたって周回状に凹み形成されていることを特徴とする。
【００１０】
図１および図２に示すように、溝９には滑り止め部材１３が埋め込み装着されている。この滑り止め部材１３は、外ケース２の表面より大きな摩擦力を発揮するゴム弾性を備えたエラストマーを素材にして無端状に形成する。本発明において、ゴム弾性を備えたエラストマーとは、天然ゴム、合成ゴム、ゴム弾性を備えたプラスチック、あるいは前記各素材の発泡体などを含む概念である。
【００１１】
滑り止め部材１３の厚み寸法は、溝９の凹み深さ寸法よりも僅かに大きく設定することができる。
【発明の効果】
【００１２】
本発明に係るハードディスクカートリッジ（以下、単にカートリッジと記す。）においては、図２に示すように、外ケース２の後端寄りに、滑り止め用の溝９を周回状に形成したので、コネクタ４を機器に対して着脱する際に、外ケース２をどのようにつかんだとしても、指先を溝９に確実に引っ掛けることができる。したがって、外ケース２を常に確りと保持することができ、ユーザが指を滑らせることによるカートリッジの不用意な落下を確実に防止できる。
【００１３】
溝９に摩擦力の大きい滑り止め部材１３を装着すると、カートリッジと指先との間の摩擦力をより一層向上させて滑り止め機能を強化でき、その分だけカートリッジの不用意な落下を更に確実に防止できる。更に滑り止め部材１３が、ゴム弾性を備えたエラストマーで無端状に形成してあると、自己の弾性で、溝９に装着した状態を保持できるので、組立の手間を軽減できる。また、カートリッジの使用時に滑り止め部材１３が溝９から抜け外れることを防止できる。
【００１４】
滑り止め部材１３の厚み寸法を溝９の凹み深さ寸法よりも大きく設定すると、テーブルなどの平坦面に載置した際に、滑り止め部材１３がテーブルに対して確実に接触するので、テーブルが揺れた際などにカートリッジが誤って滑り落ちるのを防止できる。なお寸法差を「僅かに」としたのは、滑り止め部材１３が溝９から大きくはみ出ていると、滑り止め部材１３がＡＶ機器などの装填口に引っ掛かるおそれがあるためである。
【発明を実施するための最良の形態】
【００１５】
（実施形態）  図１ないし図４に、本発明に係るハードディスクカートリッジ（以下、単にカートリッジと記す。）の実施形態を示す。カートリッジ１は、図１および図２に示すように、硬質プラスチック製の扁平角箱状の外ケース２と、外ケース２の内部空隙に収容される扁平角型のディスクドライブ本体３とからなる。外ケース２の前壁には、ディスクドライブ本体３が備える外部接続用のコネクタ４をケース外に臨ませるための開口５が形成されている。ディスクドライブ本体３の内部には、磁気ディスク６、磁気ヘッド、駆動機構、制御回路などが組み込まれている。
【００１６】
外ケース２の後端寄りには、図２に示すように、外ケース２の上下壁１０・１１および左右側壁１２・１２にわたって周回状の溝９が凹み形成される。溝９の前後幅寸法は均一に設定されており、また、上下壁１０・１１および左右側壁１２・１２に対する溝９の凹み深さ寸法は、同一寸法に設定されている。
【００１７】
溝９に対しては、図１および図２に示すように、外ケース２の表面より大きな摩擦力を発揮する滑り止め部材１３が埋設固定される。滑り止め部材１３は、ゴム弾性を備えたエラストマーを素材とする無端状の成形品であり、その前後幅寸法および厚み寸法は、それぞれ均一に設定されている。また、滑り止め部材１３の前後幅寸法および厚み寸法は、溝９の前後幅寸法および凹み深さ寸法にそれぞれ略等しく、その断面形状は、溝９の断面形状に一致して扁平な凸字状に形成してある。したがって、図３および図４に示すように、溝９に装着した状態における滑り止め部材１３は、その内面が溝９に対して密着するとともに、その外面が上下壁１０・１１および左右側壁１２・１２と面一状になる。
【００１８】
このカートリッジ１をＡＶ機器などに対して着脱する際には、例えば、親指と中指とで外ケース２の左右側壁１２・１２を保持することができる。あるいは、親指と人差し指とで外ケース２の上下壁１０・１１を挟むようにして保持することができる。このように、外ケース２のどの面を保持するかは人によって様々であるが、本実施形態においては、滑り止め部材１３が、上下壁１０・１１および左右側壁１２・１２にわたって周回状に配置してあるので、外ケース２をどのようにつかんだとしても、指先を滑り止め部材１３に対して確実にあてがうことができる。したがって、外ケース２を常に確りと保持して、ユーザが指を滑らせることによる不用意な落下を確実に防止できる。
【００１９】
上記実施形態以外に、溝９の前後幅寸法および凹み深さ寸法は均一である必要はない。これは、滑り止め部材１３の前後幅寸法および厚み寸法についても同様である。滑り止め部材１３の前後幅寸法は、溝９のそれより小さくてもよい。また、滑り止め部材１３の厚み寸法は、溝９の凹み深さ寸法より僅かに大きく設定することができ、その場合には、カートリッジ１をテーブルなどの平坦面に載置した際に、滑り止め部材１３がテーブルに対して確実に接触するので、テーブルが揺れた際などにカートリッジが誤って滑り落ちるのを防止できる。
【００２０】
滑り止め部材１３は無端状に形成する必要はなく、溝９に沿って一定間隔おきに接着固定した複数個ないし多数個のエラストマー片で構成することができる。また滑り止め部材１３は、外ケース２の上下左右の４面に加えて後面を覆うものであってもよく、エラストマー以外に皮革や繊維で形成することもできる。本発明の滑り止め部材１３は、外ケース２の後端寄りに設けるが、その配置位置は、図１に示すように、機器の装填口から露出する領域内であればどこであってもよい。
【図面の簡単な説明】
【００２１】
【図１】本実施形態に係るハードディスクカートリッジを機器に対して着脱する態様を示す図である。
【図２】滑り止め部材を分離したハードディスクカートリッジの斜視図である。
【図３】図１のＡ−Ａ線断面図である。
【図４】図３のＢ−Ｂ線断面図である。
【符号の説明】
【００２２】
１  ハードディスクカートリッジ
２  外ケース
３  ディスクドライブ本体
４  コネクタ
９  溝
１０  上壁
１１  下壁
１２  左右側壁
１３  滑り止め部材
【図１】
2010003362.tif 000003
【図２】
2010003362.tif 000004
【図３】
2010003362.tif 000005
【図４】
2010003362.tif 000006